(57)【要約】【課題】本考案は、全方向発光ＬＥＤ灯を提供する。【解決手段】スタンド（１２）、及び樹脂（３）で該スタンド（１２）に封入されたＬＥＤチップ（２）を備えてなり、該スタンド（１２）にパッケージ部（１０）が設けられ、ＬＥＤチップ（２）は、該パッケージ部（１０）のてっぺん及びあらゆる側面に設けられていることを特徴とする全方向発光ＬＥＤ灯であり、該ＬＥＤ灯により、パッケージ部（１０）のてっぺんとあらゆる側面の発光を実現することが可能になり、該ＬＥＤ灯の光の放射範囲が広がり、各種の照明器具に幅広く応用される。【選択図】図２
0003178459.tif 000002
【実用新案登録請求の範囲】
【請求項１】
スタンド（１）、及び樹脂（３）でスタンド（１）に封入されたＬＥＤチップ（２）を備えてなり、該スタンド（１）にはパッケージ部（１０）が設けられ、パッケージ部（１０）の四周とてっぺんにＬＥＤチップ（２）が分布していることを特徴とする全方向発光ＬＥＤ灯。
【請求項２】
該スタンド（１）は、本体（１１）、及び本体（１１）に固定され、相互に絶縁されたプローブ（１２）を備えてなり、該本体（１１）は、パッケージ部（１０）と螺紋段（１１１）からなり、本体（１１）内に貫通した通孔が形成され、パッケージ部（１０）のてっぺんには、プローブ（１２）に向けて突き出した電極端（１００）が設けられ、プローブ（１２）は、針体（１２１）及び針体（１２１）の片側に設けられた端部（１２２）を備えてなり、針体（１２１）は、パッケージ部（１０）のてっぺんにある開口に挿入され、螺紋段（１１１）の開口を出るように設けられ、端部（１２２）の上には、該電極端（１００）が通るための通孔（１２３）が設けられていることを特徴とする請求項１に記載の全方向発光ＬＥＤ灯。
【請求項３】
該パッケージ部（１０）は、突出台（１０１）、突出台（１０１）の中央にある柱体（１０２）を備えてなり、該柱体（１０２）の横断面は正多辺形で、柱体（１０２）の側面にそれぞれ、一個のＬＥＤチップ（２）が設けられていることを特徴とする請求項２に記載の全方向発光ＬＥＤ灯。
【請求項４】
該プローブ（１２）の端部（１２２）は、柱体（１０２）のてっぺんにあり、端部（１２２）と柱体（１０２）のてっぺんとの間には、絶縁パッド（４）が設けられ、針体（１２１）が挿入するためのスタンド（１）本体（１１）の通孔内には、絶縁物が充填され、絶縁物と絶縁パッド（４）により、本体（１１）とプローブ（１２）との間を絶縁するように設けられていることを特徴とする請求項３に記載の全方向発光ＬＥＤ灯。
【請求項５】
該パッケージ部（１０）の突出台（１０１）は、中央部が高く、四周が低いという錐状斜面のある表面に設けられ、突出台（１０１）の上に、リング状のアンダーカット（１０３）が設けられ、該リング状のアンダーカット（１０３）に嵌める透明カバー（５）が設けられ、そして、封止樹脂（３）を透明カバー（５）内に充填するように設けられていることを特徴とする請求項３または４に記載の全方向発光ＬＥＤ灯。
【請求項６】
該パッケージ部（１０）の柱体（１０２）四周にあるＬＥＤチップ（２）の電極リード線（２１）はパッケージ部（１０）に、もう一つの電極リード線（２２）はプローブ（１２）の端部（１２２）に固定され、該パッケージ部（１０）のてっぺんにあるＬＥＤチップ（２）はプローブ（１２）の端部（１２２）のてっぺんにあり、一つの電極リード線（２１）は端部（１２２）の通孔（１２３）を通って延ばされた電極端（１００）に、もう一つの電極リード線（２２）はプローブ（１２）の端部（１２２）に固定されていることを特徴とする請求項５に記載の全方向発光ＬＥＤ灯。
【請求項７】
該ＬＥＤスタンド（１）の表面はメッキ処理で行われ、電極リード線（２１、２２）は、金線を使用して設けられていることを特徴とする請求項６に記載の全方向発光ＬＥＤ灯。
【考案の詳細な説明】
【技術分野】
【０００１】
本考案はＬＥＤの技術分野に関わり、特に全方向発光ＬＥＤ灯に関する。
【背景技術】
【０００２】
周知の通り、従来の白熱灯は、消費電力は多いが、エネルギー利用率は非常に低く、十分の一のエネルギーしか光エネルギーにならず、残りの熱エネルギーが全部無駄になるということで、人々が白熱灯の代わりに、新しい光源を使用しようと思ったが、そこで、省エネ灯が生まれたのであり、省エネ灯は安くて作りやすいため、白熱灯の代わりに、次第に大量に使用されるようになり、電子励起により発光することになっており、省エネ灯は白熱灯に比べて、省エネという長所はあるが、水銀が含まれているという欠点があり、水銀は、省エネ灯の中で媒介として用いられており、水銀を含んで使用しないと、省エネ灯が発光しなくなるからである。そうすると、製造過程中や使用後の廃棄物として、水銀汚染が生じやすくなること、それに、省エネ灯はガラス製品で、割れやすいもので、運搬や取付も難しく、消費電力も多く、壊れやすく、使用寿命も短いことである。
【０００３】
現在、省エネ照明の発展は、ＬＥＤ灯に向けて進んでいるが、上述した照明ライトに比べて、ＬＥＤ灯は、次のような長所がある。
【０００４】
１．省エネ。白光ＬＥＤの消費電力は、白熱灯の１０分の１で、省エネ灯の４０分の１に相当する。
２．使用寿命が長い。ＬＥＤ灯の使用寿命は、１０万時間も可能で、白熱灯や省エネ灯の場合もずっと長い。
３．頻繁に電源を切ったり入れたりしても大丈夫。従来の省エネ灯や、白熱灯は、頻繁に切ったり入れたりしたら、フィラメントが黒くなり、まもなく切れてしまうが、ＬＥＤ灯はそういう問題はない。
４．固態で、封入された冷光源タイプで、運搬や取付けが簡単。どんなマイクロタイプや密閉設備にも設置可能で、振動にも強く、基本的に断熱の心配はない。
５．水銀の有害成分がなく、環境に優しい。ＬＥＤ灯の取付部品は取り外しが簡単、回収にも便利なこと。
【０００５】
上述した特徴を以って、その他の照明器具の代わりに、ＬＥＤ灯が次第に用いられるようになるが、ＬＥＤ灯にも欠点がある。それは、ＬＥＤチップは、指向性の高い照明で、光放射の区域に限りがあり、白熱灯や省エネ灯のように、光源の光は拡散しないのである。ＬＥＤ灯を、日常の中の照明として用いられる場合、その問題を解決しなければならないが、現在、よく見られる解決方法として、照明器具の発光ヘッドに複数のＬＥＤを配置、ＬＥＤそれぞれの放射方向が異なるように設けることにより、光を拡散することになるが、しかし、そこで、発光ヘッドに複数のＬＥＤを配置することで、コストが高く、組立が難しいという欠点がある。それを見て分かるように、場当たり的な解決策で、根本的な解決策でないため、ＬＥＤの全方向発光に関する問題を有効に解決できないわけである。
【０００６】
発明者は、全方向発光ＬＥＤ灯の技術案を提出したことがあるが、それは実は、側面３６０度の発光であり、ヘッド発光を実現するという実質的技術ではないのに対して、今回、提出する技術案は、上述した技術案を更に改善して、ヘッド発光をも実現できる全方向発光ＬＥＤ灯である。
【考案の概要】
【考案が解決しようとする課題】
【０００７】
本考案の解決しようとする技術課題は、従来のＬＥＤ灯のてっぺんの光量不足という問題を解決するため、四周３６０度の方向、及びてっぺんを同時に発光させる全方向発光を実現させるための全方向発光ＬＥＤ灯を提供することにある。
【課題を解決するための手段】
【０００８】
上述した課題を解決するために、本考案は、次のような技術案が採用される。
すなわち、全方向発光ＬＥＤ灯は、スタンド、及び樹脂でスタンドに封入されたＬＥＤチップを備えてなり、該スタンドにはパッケージ部が設けられ、パッケージ部の四周とてっぺんにＬＥＤチップが分布していることを特徴とする。
【０００９】
該スタンドは、本体、及び本体に固定され、相互に絶縁されたプローブを備えてなり、該本体は、パッケージ部と螺紋段からなり、本体内に貫通した通孔が形成され、パッケージ部のてっぺんには、プローブに向けて突き出した電極端が設けられ、プローブは、針体及び針体の片側に設けられた端部を備えてなり、針体は、パッケージ部のてっぺんにある開口に挿入され、螺紋段の開口を出るように設けられ、端部の上には、該電極端が通るための通孔が設けられている。
【００１０】
該パッケージ部は、突出台、突出台の中央にある柱体を備えてなり、該柱体の横断面は正多辺形で、柱体の側面にそれぞれ、一個のＬＥＤチップが設けられている。
【００１１】
該プローブの端部は、柱体のてっぺんにあり、端部と柱体のてっぺんとの間には、絶縁パッドが設けられ、針体が挿入するためのスタンド本体の通孔内には、絶縁物が充填され、絶縁物と絶縁パッドにより、本体とプローブとの間を絶縁するように設けられている。
【００１２】
該パッケージ部の突出台は、中央部が高く、四周が低いという錐状斜面のある表面に設けられ、突出台の上に、リング状のアンダーカットが設けられ、該リング状のアンダーカットに嵌める透明カバーが設けられ、そして、封止樹脂を透明カバー内に充填するように設けられている。
【００１３】
該パッケージ部の柱体四周にあるＬＥＤチップの電極リード線は電極端に、もう一つの電極リード線はプローブの端部に固定されている。該パッケージ部のてっぺんにあるＬＥＤチップは、プローブ端部のてっぺんにあり、一つの電極リード線は、端部の通孔を通って延ばされた電極端に、もう一つの電極リード線は、プローブの端部に固定されている。
【００１４】
該ＬＥＤスタンドの表面はメッキ処理で行われ、電極リード線は、金線を使用して設けられている。
【００１５】
本考案は、スタンドに複数のＬＥＤチップが封入されており、これらのチップは、水平３６０度で、てっぺんにも分布しており、従来の全方向発光ＬＥＤ器具におけるてっぺんの発光が実現困難という欠点を解決して、全方向発光を実現できることで、本考案は、各種の照明器具に幅広く応用され、従来のＬＥＤ器具に比べて、コンパクト、照明方向が広く、取付簡単というメリットがある。
【図面の簡単な説明】
【００１６】
【図１】本考案の立体イメージ。
【図２】本考案の正面図。
【図３】本考案の断面図。
【図４】本考案のスタンドの立体イメージ。
【図５】本考案の上面図。
【図６】本考案のもう一つの実施例の上面図。
【考案を実施するための形態】
【００１７】
以下、図面を参照しながら、本考案について詳しく説明する。
図１〜図５に示すように、本実施例は、スタンド１、ＬＥＤチップ２とＬＥＤチップ２を封入するための樹脂３を備えてなるものである。
【００１８】
該スタンド１は、本体１１、及び本体１１に固定され、相互に絶縁されたプローブ１２を備えてなり、本体１１は、パッケージ部１０と螺紋段１１１からなり、本体１１内に貫通した通孔が形成され、本体１１のパッケージ部１０のてっぺんには、プローブ１２に向けて突き出した二つの電極端１００が設けられている。
【００１９】
該プローブ１２は、針体１２１及び針体１２１の片側に設けられた端部１２２を備えてなり、針体１２１は、パッケージ部１０のてっぺんにある開口に挿入され、螺紋段１１１の開口を出るように設けられ、端部１２２の上には、該電極端１００が通るための通孔１２３が設けられ、即ち、電極端１００は、通孔１２３を通って、端部１２２のてっぺんに露出するように設けられているが、本実施例のパッケージ部１０の上には、二つの電極端１００が設けられている。
【００２０】
該パッケージ部１０は、突出台１０１、突出台１０１の中央にある柱体１０２を備えてなり、該柱体１０２の横断面は正多辺形で、柱体１０２の側面にそれぞれ、一つのＬＥＤチップ２が設けられている。
本実施例では、柱体１０２は正八面体で、８個のＬＥＤチップ２が柱体１０２の各側面に分布しており、それにより、３６０度の発光を実現することになる。
【００２１】
また、プローブ１２の端部１２２のてっぺんには、一つまたは複数のＬＥＤチップ２を設けてもよいが、それにより、ヘッド発光が可能になり、全方向発光を実現する効果がある。
【００２２】
樹脂３は通常、エポキシ樹脂で使用されるが、耐湿性、絶縁性、機械的強度が高いというメリットがあり、ＬＥＤチップ２の放射した光の屈射率と通過率が高いように設けられており、樹脂３で、パッケージ部１０やパッケージ部１０のてっぺんにあるプローブ１２の端部１２２を封止し、球体のように設けられ、ＬＥＤチップ２の光が樹脂３を通過して、放射することになるが、パッケージ部１０の突出台１０１は、中央部が高く、四周が低いという錐状斜面のある表面に設けられ、それにより、光の放射がよく行われるようになるが、それに、樹脂３の封止はまず、パッケージ部１０の上に透明カバー５を配置、それから、カバー５内に樹脂３を充填するように行われている、それにより、封止作業を簡単化し、カバー５の取付がうまく行われることになるが、突出台１０１の上に、リング状のアンダーカット１０３が設けられ、該リング状のアンダーカット１０３に嵌める透明カバー５が設けられ、そして、封止用樹脂３を該カバー５内に充填することになっている。
【００２３】
本実施例におけるプローブ１２と本体１１との間を絶縁するには、具体的構造として次のようになるが、プローブ１の端部１２２は、柱体１０２のてっぺんにあり、端部１２２と柱体１０２のてっぺんとの間には、絶縁パッド４が設けられ、針体１２１が挿入するためのスタンド１本体１１の通孔内には、絶縁物が充填され、絶縁物と絶縁パッド４により、本体１１とプローブ１２との間を絶縁するように設けられている。
【００２４】
本実施例における電子回路の配置は、次のようになるが、パッケージ部１０の柱体１０２四周にあるＬＥＤチップ２の電極リード線２１はパッケージ部１０に、もう一つの電極リード線２２はプローブ１２の端部１２２に固定されており、パッケージ部１０のてっぺんにある二つのＬＥＤチップ２は、プローブ１２端部１２２のてっぺんにあり、一つの電極リード線２１は、端部１２２の通孔１２３を通って伸ばされた電極端１００に、もう一つの電極リード線２２は、プローブ１２の端部１２２に固定されている。
【００２５】
本実施例におけるスタンド１の本体１１は、電子回路にある一つ電極であり、プローブ１２は、電子回路にあるもう一つの電極であり、ＬＥＤチップ２は、電極リード線２１、２２を通じて、本体１１とプローブ１２の間をつなぎ、電気の経路になるが、スタンド１にある螺紋段１１１は、本考案の取り付けられる照明器具に対応するインターフェースとして用いられ、素早く取付けが行われるようになるが、螺紋段１１１と針体１２１はそれぞれ、電気インターフェースの電極に接続しており、プローブ１２の端部１２２と針体１２１は全体として導電体と、螺紋段１１１とパッケージ部１０は全体として導電体として用いられるため、ＬＥＤチップ２は電気的接続が行われ、電源を入れたら、発光することになる。
【００２６】
リード線の溶接をうまく行わせるために、該ＬＥＤスタンド１の表面はメッキ処理で行われている。
【００２７】
本考案での電極端１００の数量は、一つ配置してもよいが、図６に示すように、本実施例では、一個の電極端１００だけが配置されており、また、ＬＥＤチップ２の固定を行うため、異った箇所を配置してもよい。
【００２８】
上述した内容をまとめると、本考案は、スタンド１に複数のＬＥＤチップ２が封入されてなり、これらのＬＥＤチップ２は、四周に３６０度配置されていると同時に、てっぺんにもＬＥＤチップが配置されていることで、全方向発光が実現可能、従来の製品のＬＥＤの放射した光の方向性にあった欠点を解決することができる。本考案は、各種の照明器具に幅広く応用され、従来のＬＥＤ器具に比べて、コンパクト、照明方向が広く、取付簡単というメリットがある。
【００２９】
なお、上述したのは、本考案の好適な実施例に関する説明のみであり、それを以って、本考案の実用新案登録請求の範囲が制限されるものではなく、本考案の実用新案登録請求の範囲に述べられた構造、特徴と原理に基づいて、その改造や変更などを行って、それと同等な効果を得たとしても、それらの改造や変更などはすべて、本考案の実用新案登録請求の範囲に含まれるものである。
【図１】
0003178459.tif 000003
【図２】
0003178459.tif 000004
【図３】
0003178459.tif 000005
【図４】
0003178459.tif 000006
【図５】
0003178459.tif 000007
【図６】
0003178459.tif 000008